(57)【要約】【課題】複数の業務モードで動作し、その業務モードに応じて適切な空冷を行うことが可能な、ＰＯＳ端末装置を提供すること。【解決手段】本体内に配設され動作することにより温度が上昇する複数の電気回路部と、所定の業務モードに応じて主に動作する前記複数の電気回路部の一部に向けて送風する送風風向装置と、を備えてなることを特徴とするＰＯＳ端末装置。【選択図】図１
2013047894.tif 000002
【特許請求の範囲】
【請求項１】
本体内に配設され動作することにより温度が上昇する複数の電気回路部と、
所定の業務モードに応じて主に動作する前記複数の電気回路部の一部に向けて送風する送風風向装置と、
を備えてなることを特徴とするＰＯＳ端末装置。
【請求項２】
前記送風風向装置は、前記本体内設けられ、送風を行う送風装置と、この送風装置を駆動する送風モータと、前記送風装置から送風される風の方向を変える可動翼と、この可動翼を制御する翼偏向制御部とを有することを特徴とする請求項１記載のＰＯＳ端末装置。
【請求項３】
前記業務モードは、商品の販売に関してその商品の種類、商品名、商品価格を登録する登録モードと、この登録モードにより登録された商品の販売データを記憶しそのデータを所定の時点で表示又はプリントする点検モードと、一定期間の終わりとして前記販売データの合計をプリントする精算モードとを有することを特徴とする請求項１又は２記載のＰＯＳ端末装置。
【請求項４】
前記複数の電気回路部は、入力された商品の種類、商品名、商品価格からその商品の合計点数、合計金額を演算する演算部と、
この演算部で演算された商品を登録する商品登録部と、
この商品登録部で登録された商品の販売データを記憶する販売データ記憶部と、
この販売データ記憶部に記憶された販売データをプリントするプリンタに接続されるプリント制御部と、
これら全体を制御する全体制御部と、
を前記本体内に設けられ、
前記業務モードに応じて前記演算部、前記商品登録部、前記販売データ記憶部、前記プリント制御部、前記全体制御部の１つまたは複数に向けて前記送風風向装置の風向を変えることを特徴とする請求項３記載のＰＯＳ端末装置。
【請求項５】
前記登録モードでは、前記送風風向部は前記演算部及び全体制御部に向けて送風を行うことを特徴とする請求項４記載のＰＯＳ端末装置。
【請求項６】
入力された商品の種類、商品名、商品価格からその商品の合計点数、合計金額を演算する演算部と、
この演算部で演算された商品を登録する商品登録部と、
この商品登録部で登録された商品の販売データを記憶する販売データ記憶部と、
この販売データ記憶部に記憶された販売データをプリントするプリンタに接続されるプリント制御部と、
これら全体を制御する全体制御部と、
送風を行いその送風される風の向きを変える送風風向装置と、
を前記本体内に設けられ、
前記送風風向装置は、業務モードに応じて、前記演算部、前記商品登録部、前記販売データ記憶部、前記プリント制御部、前記全体制御部の１つまたは複数に向けて送風することを特徴とするＰＯＳ端末装置。
【発明の詳細な説明】
【技術分野】
【０００１】
本発明の実施形態は、複数の業務モードを有するＰＯＳ端末装置において、適切に空冷を行うＰＯＳ端末装置に関する。
【背景技術】
【０００２】
ＰＯＳ端末装置では、個別の商品の売買を主としてその商品売買の処理及びネットワークを介してその売買に基づく販売の情報を処理する。
【０００３】
このＰＯＳ端末装置における処理は、一般に、大きく、商品を中心に処理する「登録」と、それら商品の合計に関する「点検」と、一定の期間についてまとめる「精算」に分けられる。
【０００４】
ＰＯＳ端末装置内には、当然これらの各処理を行う構成部品が内蔵されている。従来はどの部位も一様に、あるいは、一般的に高温になる部位を中心に空気を当てて冷却を行っていた。また、各部位の温度を測定して送風をその方向に変えることもなされていた。
【０００５】
しかし、その現在行っている処理に応じて稼働する部分が異なり、各処理の段階で高温になる部位も異なる。それゆえ、必ずしも適切な空冷が行われず、冷却のために電気を浪費する場合も多かった。温度を測定してその方向に向けて空気を当てる場合もその部位の温度が高くなり相当の時間が経過してからでないと、適切な空冷がなされない。
【先行技術文献】
【特許文献】
【０００６】
【特許文献１】特開２００７−４８９１７号公報
【発明の概要】
【発明が解決しようとする課題】
【０００７】
この発明は、複数の業務モードで動作し、その業務モードに応じて適切な空冷を行うことが可能な、ＰＯＳ端末装置を提供する。
【課題を解決するための手段】
【０００８】
一実施形態は、本体内に配設され動作することにより温度が上昇する複数の電気回路部と、所定の業務モードに応じて主に動作する前記複数の電気回路部の一部に向けて送風する送風風向装置と、を備えてなることを特徴とするＰＯＳ端末装置を提供する。
【図面の簡単な説明】
【０００９】
【図１】一実施形態に係るＰＯＳ端末装置の構成図である。
【図２】この実施形態のＰＯＳ端末装置における空調装置の構成例を示す図である。
【図３】この実施形態における空調装置の動作を説明するための図である。
【図４】この実施形態において、業務モードに対する風向領域を示す表の一例を示す図である。
【発明を実施するための形態】
【００１０】
以下、本発明の実施の形態について、図面を用いて説明する。図１に、一実施形態の空調装置の構成例を示す。このＰＯＳ端末装置１０は、販売商品の種類、価格などを入力する入力部１１と、入力された商品の価格合計金額などの演算を行う演算部１２と、演算部１２において演算された商品の登録を行う商品販売登録部１３と、販売された商品のデーを記憶する販売データ記憶部１４と、販売された商品名、その価格、合計金額などの表示を行う表示部１５と、表示部１５の表示面上に表示された商品名、その価格、合計金額などをプリントするプリンタ１６と、このプリンタ１６を制御するプリンタ制御部１６ｃと、これら各部の制御部などを全体として制御する全体制御部１７と、後述する登録、点検、精算等のモードの切替を全体制御部１７に指示するモード切替部１８を備える。
【００１１】
入力部１１は、商品に付されているバーコードやＱＲコードを読み取ったり、文字認識により文字を認識し、あるいはテンキーにより手入力などを行うところである。入力部は、例えば、手持ち式のバーコードスキャナやＰＯＳ端末に組み込まれて形成される読取スキャナ、据置式の読取スキャナ、ＣＣＤカメラ、又はキーボード等である。モード切替部１８はこのＰＯＳ端末装置を使用するユーザがどの業務を行うかにより切り替えられる。
【００１２】
全体制御部１７は、入力部１１、演算部１２、商品販売登録部１３、販売データ記憶部１４、表示部１５、プリンタ制御部１６ｃ等を制御する。
【００１３】
入力部１１にて入力され商品の種類、商品名、商品の価格、合計金額等は演算部１２に送られて演算され、表示部１５に送られて表示される。演算部１２において演算された結果や表示部１５に表示された結果は、必要に応じてプリンタ１６に送られプリントされる。
【００１４】
一方、演算部で演算された商品の種類、商品名、その価格等は商品販売登録部１３に登録される。商品販売登録部１３に登録された情報は必要に応じて、販売データ記憶部１４に記憶される。
【００１５】
演算部１２及び全体制御部１７は、ＰＯＳ端末装置本体内のＡ領域に配設され、商品販売登録部１３及び販売データ記憶部１４はＢ領域に配設され、プリンタ制御部１６ｃはＣ領域に配設されている。これらは各々は電気回路部を構成し、ＰＯＳ端末装置の本体内に設けられており、動作すると温度が上昇する。
【００１６】
次に、モード切替部１８により、切り替えられる、業務モードについて説明する。切り替えられる業務モードとして、例えば主に登録、点検、精算の３つがある。
【００１７】
登録モードで行われる業務は、個々の商品販売時に行われる業務であり、例えば、商品に付されたバーコードを入力部であるスキャナ等により読み取り、販売された商品の販売価格や販売点数等を記憶し、かつ合計金額等の計算を行い、その結果を登録し販売データを記憶させる業務である。点検モードで行われる業務は、中間的に商品販売の状況を見る業務であり、業務であり、上記登録業務により記憶させた販売データである売上金額、売上点数等を合計して点検レポートデータを編集し、このデータを印字又は表示する業務モードである。
【００１８】
また、精算モードで行われる業務は、一定期間の終わり、例えば１日の業務終了時にそれまでの累積された結果、即ち売上合計金額、売上合計点数などを算出し、それまでに記憶されていたデータをクリアして終える業務であり、通常それまでの販売データをプリントして出力する。１日の販売データを図示しないネットワークを介して中央の販売データ蓄積サーバに送ることもある。
【００１９】
いずれの業務モードでも、必要に応じて表示部１５の表示画面上にそれらの結果を表示し、あるいはその結果を、プリンタ制御部１６ｃにより制御されるプリンタ１６に出力してプリントする。
【００２０】
この実施形態における空調装置の構成を図２に示す。この空調装置２０は、送風装置２１と、この送風装置２１を駆動する送風モータ２２と、送風装置２１から出た風を受けてその方向（風向）を変える可動翼２３と、図１に示したモード切替部１８のモード指示制御信号を受けて可動翼２３の翼の向きを変えることにより出力する風の方向を変える翼偏向制御部２４と、Ａ領域、Ｂ領域、Ｃ領域の各々に設けられた温度センサ２５Ａ，２５Ｂ，２５Ｃと、これらの温度センサで検知された温度を無線又は有線により入力する検知温度比較部２６とを備える。
【００２１】
送風装置２１と、送風モータ２２と、可動翼２３及び翼偏向制御装置２４は、送風を行いその風向を変える、送風風向装置を形成する。
【００２２】
モード切替部１８は、上記３つの業務モードのいずれかのモードを、モード制御信号として図１に示す全体制御部１７に与えると共に、図２に示す翼偏向制御部２４にも与える。
【００２３】
翼偏向制御部２４では、上述の各モードでどの領域に送風するかを予め決めておく。この業務モードと風向を行う領域の関係の例を図４に示す。このテーブルを翼偏向制御部２４に記憶させておく。翼偏向制御部２４は各モードに従ってまず、その領域に送風するように、可動翼を動かす。例えば、登録モードでは個々の商品販売における処理が主であり、演算部１２が最大に稼働しこの部分が高い温度になると考えられるので、このモードの時には、演算部１２が配設されているＡ領域に向けて送風する。
【００２４】
次に、点検モードの時には、商品販売登録部１３に登録された販売データを合計し販売データ記憶部１４に記憶する。このとき演算部１２も動作するが、商品販売登録部１３と販売データ記憶部１４が最大に動作しこれらの温度が上がると考えられるので、このモードの時には、商品販売登録部１３と販売データ記憶部１４が配設されているＢ領域に向けて送風する。
【００２５】
更に、精算モードの時には、通常、例えば１日の終わりにプリントがなされるので、プリンタ制御部１６ｃの温度が高くなると思われるので、プリンタ制御部１６が配設されているＣ領域に向けて送風する。このように翼偏向制御部２４は、モード切替部１８から受けたモード制御信号に応じて可動翼２３を回動させて、Ａ領域、Ｂ領域、Ｃ領域に送風するように動作する。このモードと送風方向の対応関係の設定は予め、翼偏向制御部２４に記憶させておく。送風を行う領域に応じて風量を変えることも可能である。
【００２６】
但し、常に各モードに対してそれら設定された方向に送風することが適切とは限らない。各モードにおいても、通常行われる処理だけでなく、その他の処理も行われるので、例外的に予め予測した領域以外の領域の温度が高くなることがある。例えば点検モードにおいて、多くのデータのプリントがなされると、Ｂ領域よりもプリンタ制御部が配設されているＣ領域の温度が高くなることがある。
【００２７】
そこで、各領域には、温度センサ２５Ａ,２５Ｂ，２５Ｃが設けられている。これらの温度センサはその領域内で例えば、平均的な温度となる部位、や最も温度が高くなる部位に設けておく。これらの温度センサ２５Ａ,２５Ｂ，２５Ｃにより検知された温度Ｔａ，Ｔｂ，Ｔｃは、検知温度比較部２６において互いに比較され、各Ａ領域，Ｂ領域,Ｃ領域で温度が最も高くなった領域の温度Ｔｍが検知される。この最も高い温度Ｔｍは検知温度比較部２６において予め定められた基準温度Ｔｓと比較される。いずれかの領域の最も高い温度Ｔｍがこの基準温度Ｔｓよりも高くなった時には、その制御信号が翼偏向制御部２４に送られる。翼偏向制御部２４はこの制御信号を受けて可動翼２３を回動させて、その領域に送風する。いずれかの領域の最も高い温度Ｔｍがこの基準温度Ｔｓよりも高くなったとき、その温度差に応じて風量を大きくするようにすることも可能である。この場合には、送風モータ２２の回転数を上げて、送風装置から送られる風量を大にすることができる。
【００２８】
次にこの実施形態の、特に空調に関する動作を図３に示すフローチャートにより説明する。まずステップＳ３０１で、モード切替部１８から業務モードの指示があったか否かを検知する。
【００２９】
モード切替部１８からモード指示制御信号は、図１に示す全体制御部１７に送られる。上述のように、例えば登録モードでは、入力部１１から入力された、販売商品に関する数値などの情報が入力され、演算部１２で演算されて商品販売登録部１３に記憶される。
【００３０】
モード指示制御信号は、図２に示す翼偏向制御部２４にも送られる。登録モードでは、翼偏向制御部２４は可動翼を回動させて送風をＡ領域に向けて行う。
【００３１】
また、点検モードでは、商品販売登録部１３から、あるいは演算部１２において更に演算されて販売商品に関する情報が販売データ記憶部１４に記憶され、必要に応じてそのデータが表示部１５に表示されあるいは、プリンタ１６でプリントされる。この点検モードでは、そのモード指示制御信号を受けた翼偏向制御部２４は、可動翼を回動させてＢ領域に向けて送風を行う。
【００３２】
更に、精算モードでは、例えば１日の終わりに、１日間のデータが販売データ記憶部１４等から読み出され演算部１２で演算されて、プリンタ１６でプリントされる。
【００３３】
このとき、モード指示制御信号は、モード切替部１８から全体制御部１７に送られると共に、翼偏向制御部２４にも送られており、可動翼を回動させてＣ領域に向けて送風を行う。ステップＳ３０２ではこのように、各業務モードに応じて送風する領域を変える。
【００３４】
次のステップＳ３０３では、図２に示す温度センサ２５Ａ,２５Ｂ，２５Ｃによって各領域の温度を検知し、それらの検知温度Ｔａ，Ｔｂ，Ｔｃは検知温度比較部２６に送られる。
【００３５】
ステップＳ３０４では、それら検知温度を比較しそのうちの最も高い温度が検知される。この温度をＴｍとすると、ステップＳ３０５ではこの最も高い検知温度Ｔｍが予め定められた基準温度Ｔｓより高くなったかを検知し、その場合には、その旨及びその領域を示す制御信号が翼偏向制御部２４に送られる（ステップＳ３０６）。これに対応して、ステップＳ３０７では、翼偏向制御部２４は、可動翼２３を回動させて、当該領域に向けて送風を行う。
【００３６】
例えば登録モードであって、最初、Ａ領域に向けて送風されていたが、温度センサ２５Ｂにより検知された温度Ｔｂが高くなり基準温度Ｔｓを越えた場合には、翼偏向制御部２４は、可動翼２３を回動させて、Ｂ領域に向けて送風を行う。
【００３７】
他の業務モードのときにも同様にして、各領域に設けられている温度センサ２５Ａ，２５Ｂ，２５Ｃにより各検知温度が基準温度Ｔｓよりも高い温度になったことが検知されると、送風をその領域に向けて行う。
【００３８】
次のステップＳ３０８では、当該領域の温度が基準温度Ｔｓよりも低くなったかが検知される。当該領域の温度が基準温度Ｔｓよりも低くなった（Ｓ３０８；Ｙ）では、ステップＳ３０１に戻り、ステップＳ３０２において、指示された業務モードに応じた領域に向けて送風が行われる。
【００３９】
当該領域の温度が基準温度Ｔｓよりも低くなっていない場合（Ｓ３０８；Ｎ）には、ステップＳ３０７においてその領域に向けて送風を継続する。そしてステップＳ３０８において当該領域の温度が基準温度Ｔｓより低くなった場合には、ステップＳ３０１に戻り、業務モードに応じた所定領域への送風が行われる。
【００４０】
このようにして、予め業務モードに応じて風向の領域を決めておくと共に、各領域に温度センサを設けて温度を検知し、各領域の温度が所定の基準温度よりも高くなった時には、その領域に向けて風を送る。
【００４１】
この実施形態によれば、業務モードに応じて空気による冷却を行うと共にこの冷却では適当でない場合にも適切に冷却を行うことが可能となる。
【００４２】
上記実施形態では、登録、点検、精算の各モードに対して、図４に示すように風向の領域を１つに決めたが、これに限られない。例えば登録モードでは、Ａ領域とＣ領域に向けて風向し、点検モードではＡ領域とＢ領域に向けて風向するようにすることも可能であり、図４の表とは全く異なるように風向を決めてもよい。
【００４３】
上記実施形態では、各業務モードに対して風向領域を予め決めておき、各領域の温度を検知してそれら各領域の温度が基準温度より高くなった場合には、その領域に向けて風を送るようにしていた。しかし、各領域の温度検知及びこれに基づく風向の変更は必ずしも必要でない。このように業務モードに応じて風向領域を決めると、各領域の温度を検知する温度センサが不要となり、構成が簡単になる利点がある。
【００４４】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１０・・・・ＰＯＳ端末装置、
１１・・・・入力部、
１２・・・・演算部、
１３・・・・商品販売登録部、
１４・・・・販売データ記憶部、
１５・・・・表示部、
１６・・・・プリンタ、
１６ｃ・・・プリンタ制御部、
１７・・・・全体制御部、
１８・・・・・モード切替部、
２０・・・・空調装置、
２１・・・・送風装置、
２２・・・・送風モータ
２３・・・・可動翼、
２４・・・・翼偏向制御部、
２５Ａ、２５Ｂ，２５Ｃ・・・・温度センサ、
２６・・・・検知温度比較部。
【図１】
2013047894.tif 000003
【図２】
2013047894.tif 000004
【図３】
2013047894.tif 000005
【図４】
2013047894.tif 000006